(57)【特許請求の範囲】
【請求項１】
両端に鍔部を有し両鍔部の間にコイルが巻装されたボビンと、Ｅ形であって中足部がボビンに納装され基部が一方の鍔部に当接するＥ形鉄芯と、Ｔ形であって中足部がボビンに納装され基部が他方の鍔部に当接する形でボビンに一体成形されたＴ形鉄芯と、Ｅ形鉄芯に近い側の鍔部から突設される端子金具であって前記コイルの巻軸方向においてＥ形鉄芯の基部に重なる一部を有する端子金具とを備え、Ｅ形鉄芯の中足部の長さはＴ形鉄芯の中足部の長さよりも短く、Ｅ形鉄芯における基部の外面と中足部の先端面との間の寸法が、上記端子金具が突設される側の鍔部とＥ形鉄芯との当接面から端子金具の上記一部との間の寸法よりも小さく設定されてなることを特徴とする電磁装置。
【請求項２】
Ｅ形鉄芯の中足の突出寸法は、端子金具の上記一部と上記基部の外面との間の隙間が所定の絶縁距離よりも大きくなる寸法に設定されてなることを特徴とする請求項１記載の電磁装置。
【発明の詳細な説明】
【０００１】
【発明の属する技術分野】
本発明は、放電灯用の安定器などに用いられる電磁装置に関するものである。
【０００２】
【従来の技術】
従来より、放電灯用の安定器などに用いられる電磁装置として、図１３ないし図１５に示すように、両端に鍔部１１，１２を有するボビン１の両鍔部１１，１２間にコイル３が巻装されたコイルブロック３０を備え、コイルブロック３０に鉄芯ブロック４０’を装着するとともに、ボビン１に一対の端子金具２，２を設けたものがある。
【０００３】
ボビン１は、図１６および図１７に示すように、両鍔部１１，１２間にコイル３が巻装される角筒状の巻胴部１３が形成され、両鍔部１１，１２の下部にはコイル３の巻軸方向において互いに離れる向きにそれぞれ突設された基台部１１ａ，１２ａが連続一体に形成されている。なお、各基台部１１ａ，１２ａの上面（図１７（ｂ）における上面）は巻胴部１３の内底面と面一になっている。
【０００４】
また、ボビン１は、基台部１１ａの端面から上述の一対の端子金具２，２がコイル３の巻軸方向に突設されている。ここにおいて、各端子金具２は、鍔部１１の基台部１１ａの端面からコイル３の巻軸方向に突設され電線（図示せず）が接続される端子片２ａと、端子片２ａに略直交し上記電線の挿入される電線挿通孔２ｄが形成された電線挿通片２ｂと、電線挿通片２ｂの先端部から折り返し形成され端子片２ａに電線をばね力によって接続保持する鎖錠ばね片２ｃとを有している。要するに、各端子金具２は、いわゆる速結端子構造になっており、電線の接続を容易に行うことができる。
【０００５】
鉄芯ブロック４０’は、Ｃ形積層鉄芯１０５とＴ形積層鉄芯６’とを図１８に示すように組み合わせたものであり、コイルブロック３０を囲む矩形枠状の外鉄芯部４１をＣ形積層鉄芯１０５とＴ形積層鉄芯６’の基部６ｂ’とで構成し、ボビン１の巻胴部１３に挿着される内鉄芯部４２をＴ形積層鉄芯６’の中足部６ａ’で構成している。ここにおいて、Ｃ形積層鉄芯１０５の中間部の内面はボビン１の鍔部１１に当接し中間部の下面は基台部１１ａの上面に当接する。また、Ｔ形積層鉄芯６’の基部６ｂ’の内面はボビン１の鍔部１２に当接し基部６ｂ’の下面は基台部１２ａの上面に当接する。ところで、上記端子金具２０は、コイル３の巻軸方向において鎖錠ばね片２ｃおよび電線挿通片２ｂがＣ形積層鉄芯１０５の中間部に重なるように位置している（図１４参照）。
【０００６】
この鉄芯ブロック４０’では、コイル３の巻軸方向におけるＴ形積層鉄芯６’の位置を変化させることにより、Ｔ形積層鉄芯６’の中足部６ａ’の先端面とＣ形積層鉄芯１０５の中間部との間のギャップを容易に変えることができるので、安定器の特性のばらつきが極力小さくなるように製造管理できるという利点があり、しかも、同一の鉄芯の形状でワット数の異なる放電灯に対応することができ、複数の製品で鉄芯の共通化を図ることができるという利点がある。
【０００７】
また、Ｔ形積層鉄芯６’は、ボビン１の巻胴部１３の外面側に位置する部位がないので、ボビン１に一体成形することもでき、一体成形することによってボビン１の巻胴部１３にＴ形積層鉄芯６’の中足部６ａ’を挿入する工程が不要になり、しかも巻胴部１３の内周面とＴ形積層鉄芯６’の中足部６ａ’の外周面との間のクリアランスを取る必要がなくなるので、巻胴部１３の小型化を図ることができる。
【０００８】
【発明が解決しようとする課題】
しかしながら、上記従来構成の電磁装置では、組立時にコイル３が巻装されたコイルブロック３０に鉄芯ブロック４０’を装着する際に、Ｔ形積層鉄芯６’の中足部６ａ’をボビン１の巻胴部１３内に挿入してＴ形積層鉄芯６’の位置決めを行うまでは、Ｃ形積層鉄芯１０５の位置決めが困難なので、Ｃ形積層鉄芯１０５によってコイル３に傷が付く恐れがあるという不具合があった。
【０００９】
また、Ｔ形積層鉄芯６’の中足部６ａ’の先端面とＣ形積層鉄芯１０５の中間部との間のギャップがコイル３の巻軸方向においてコイル３よりもＣ形積層鉄芯１０５側に位置するので、安定器の外部への漏れ磁束が大きなって、漏れ磁束による弊害（例えば騒音など）が大きくなる恐れがあるという不具合があった。
【００１０】
また、ボビン１とＴ形積層鉄芯６’とを一体成形した場合、ボビン１の巻胴部１３内にＴ形積層鉄芯６’の中足部６ａ’が設置された状態にあり、コイル３の巻線時に、ボビン１の巻胴部１３内にてボビン１の軸決め（ボビン１の固定）を行えないので、ボビン１を軸決めするための工程冶具を別途に用意する必要があり製造コストの増加につながるという不具合があった。
【００１１】
これらの不具合を解決するために、Ｃ形積層鉄芯１０５の代わりにＥ形積層鉄芯を用い、Ｅ形積層鉄芯の中足部とＴ形鉄芯６の中足部６ａ’との先端面同士を対向させることによりギャップを形成することが考えられる。しかしながら、Ｅ形積層鉄芯を用いた場合には、コイル３の巻軸方向において端子金具２の鎖錠ばね片２ｃとボビン１の鍔部１１との間にＥ形積層鉄芯の基部が介在することになる。一方、電磁装置を小型化するには、ボビン１の鍔部１１と端子金具２の鎖錠ばね片２ｃとの間を短くする必要があるので、Ｅ形積層鉄芯の中足部の長さをＴ形積層鉄芯６’の中足部６ａ’の長さよりも短くする必要があるが、組立時にコイルブロック３にＥ形積層鉄芯を装着するにあたって、Ｅ形積層鉄芯の中足部をボビン１の巻胴部１３に挿入しにくく、積層された鉄芯をずらすなどの工夫をしながら挿入する必要が生じるという不具合があった。
【００１２】
なお、Ｃ形積層鉄芯１０５を用いた上記従来構成の場合には、積層された鉄芯をずらすことなくコイルブロック３に装着できることはいうまでもなく、積層された鉄芯を１ブロックずつ一体化（パック化）してＣ形積層鉄芯１０５を構成することができるので、パック化していない場合（つまり、積層された鉄芯をずらす必要のあるＥ形積層鉄芯）に比べて作業性が向上する。
【００１３】
本発明は上記事由に鑑みて為されたものであり、その目的は、外部への漏れ磁束が少なく且つ組立性が良好な電磁装置を提供することにある。
【００１４】
【課題を解決するための手段】
請求項１の発明は、上記目的を達成するために、両端に鍔部を有し両鍔部の間にコイルが巻装されたボビンと、Ｅ形であって中足部がボビンに納装され基部が一方の鍔部に当接するＥ形鉄芯と、Ｔ形であって中足部がボビンに納装され基部が他方の鍔部に当接する形でボビンに一体成形されたＴ形鉄芯と、Ｅ形鉄芯に近い側の鍔部から突設される端子金具であって前記コイルの巻軸方向においてＥ形鉄芯の基部に重なる一部を有する端子金具とを備え、Ｅ形鉄芯の中足部の長さはＴ形鉄芯の中足部の長さよりも短く、Ｅ形鉄芯における基部の外面と中足部の先端面との間の寸法が、上記端子金具が突設される側の鍔部とＥ形鉄芯との当接面から端子金具の上記一部との間の寸法よりも小さく設定されてなることを特徴とするものであり、Ｅ形鉄芯の中足部の先端面とＴ形鉄芯の中足部の先端面との間にギャップが形成されるので、従来のようにＣ形鉄芯とＴ形鉄芯とを用いている場合に比べて外部への漏れ磁束を少なくすることができ、また、上記両鉄芯のうち上記端子金具が突設される側の鍔部に当接するＥ形鉄芯が、中足部の長さが短い方の鉄芯であり、基部の外面と中足部の先端面との間の寸法が、上記端子金具が突設される側の鍔部とＥ形鉄芯との当接面から端子金具の上記一部との間の寸法よりも小さく設定されていることにより、積層された鉄芯をずらすことなしにＥ形鉄芯の中足部をボビンに納装することができるので、組立性が向上する。また、積層された鉄芯をずらす必要がないから、積層された鉄芯を一体化することができ、作業性が向上する。さらに、Ｔ形鉄芯の中足部をボビンに挿入する工程が不要になるので、組立工程数が削減される。また、コイルの巻線時には、Ｅ形鉄芯の中足部が挿入される凹所において軸決めを行うことができるから、Ｔ形鉄芯とＣ形鉄芯とを組合わせて用いる場合に比べてボビンの固定や軸設定のための治具の構成が簡単になる。
【００１５】
請求項２の発明は、請求項１の発明において、Ｅ形鉄芯の中足の突出寸法は、端子金具の上記一部と上記基部の外面との間の隙間が所定の絶縁距離よりも大きくなる寸法に設定されているので、端子金具の上記一部と上記基部の外面との間の隙間を所定の絶縁距離よりも大きく確保することができる。
【００１６】
【発明の実施の形態】
本発明の実施形態について説明する前に、本発明の実施形態と共通の基本構成を有する参考例について説明する。
（参考例）
本参考例の電磁装置の基本構成は図１３ないし図１５に示した従来構成と略同じであって、図１および図２に示すように、両端に鍔部１１，１２を有するボビン１（図３参照）の両鍔部１１，１２間にコイル３が巻装されたコイルブロック３０（図４参照）を備え、コイルブロック３０に鉄芯ブロック４０を装着するとともに、ボビン１に一対の端子金具２，２（図５および図６参照）を設けてある。ここに、各端子金具２は、上記従来構成と同じであって、図７に示すように、電線たるリード線８の導体部８ａが電線挿通片２ｂの電線挿通孔２ｄから挿入され、該挿入された導体部８ａが鎖錠ばね片２ｃのばね力によって端子片２ａに接続保持される。なお、上記従来構成と同様の構成要素には同一の符号を付して説明を省略する。
【００１７】
鉄芯ブロック４０は、Ｅ形積層鉄芯５（図８参照）とＴ形積層鉄芯６（図９参照）とを図１０に示すように組み合わせたものであり、コイルブロック３０を囲む矩形枠状の外鉄芯部４１をＥ形積層鉄芯５の中足部５ａを除いた部分とＴ形積層鉄芯６の基部６ｂとで構成し、ボビン１の巻胴部１３に挿着される内鉄芯部４２をＥ形積層鉄芯５の中足部５ａおよびＴ形積層鉄芯６の中足部６ａで構成している。ここにおいて、Ｅ形積層鉄芯５の基部５ｂの内面はボビン１の鍔部１１に当接し基部５ｂの下面は基台部１１ａの上面に当接する。また、Ｔ形積層鉄芯６の基部６ｂの内面はボビン１の鍔部１２に当接し基部６ｂの下面は基台部１２ａの上面に当接する。ところで、上記端子金具２０は、コイル３の巻軸方向において鎖錠ばね片２ｃおよび電線挿通片２ｂがＥ形積層鉄芯５の基部５ｂに重なるように位置している（図２参照）。
【００１８】
また、鉄芯ブロック４０において、Ｅ形積層鉄芯５とＴ形積層鉄芯６とではＥ形積層鉄芯５の中足部５ａの方がＴ形積層鉄芯６の中足部６ａよりも長さが短く、両中足部５ａ，５ｂの先端面間にギャップが形成されるようになっている（図１０参照）。
【００１９】
しかして、本参考例の電磁装置では、Ｅ形積層鉄芯５の中足部５ａの先端面とＴ形積層鉄芯６の中足部６ａの先端面との間にギャップが形成されるから、ボビン１の巻胴部１３内に上記ギャップが形成され、図１３ないし図１５に示した従来構成のようにＣ形積層鉄芯１０５とＴ形積層鉄芯６’とを用いている場合に比べて外部への漏れ磁束を少なくすることができ、放電灯用の安定器などに利用した際に安定器の外部への漏れ磁束を低減でき、漏れ磁束による弊害（例えば騒音など）を抑制できる。
【００２０】
また、従来構成のＣ形積層鉄芯１０５の代わりにＥ形積層鉄芯５を用いることにより、Ｔ形積層鉄芯６の中足部６ａをボビン１の巻胴部１３に挿入して位置決めをしなくても、Ｅ形積層鉄芯５の中足部５ａをボビン１の巻胴部１３に挿入すればＥ形積層鉄芯５のみでボビン１への位置決めを行うことができるので、Ｅ形積層鉄芯５によってコイル３に傷が付くこともない。
【００２１】
ところで、本参考例においても、コイル３の巻軸方向において端子金具２の鎖錠ばね片２ｃとボビン１の鍔部１１との間にＥ形積層鉄芯５の基部５ｂが介在することになる。しかしながら、本参考例では、Ｅ形積層鉄芯５の基部５ｂの外面と中足部５ａの先端面との間の寸法Ｈ２（図１０参照）が、鍔部１１とＥ形積層鉄芯５の基部５ｂとの当接面から端子金具２の鎖錠ばね片２ｃとの間の寸法Ｈ１（図３参照）よりも小さく設定されているので、端子金具２が邪魔にならず、積層された鉄芯をずらすことなしにＥ形積層鉄芯５の中足部５ａをボビン１の巻胴部１３へスムーズに挿入して納装することができ、組立性が向上する。また、積層された鉄芯をずらす必要がないから、積層された鉄芯を１ブロックとして一体化（パック化）することができ、Ｅ形積層鉄芯５が容易に変形することがなく、作業性が向上する。
【００２２】
なお、上記寸法Ｈ２は上記寸法Ｈ１よりも若干小さくなるように設定することが電磁装置の小型化の点からは望ましい。
【００２３】
ところで、電磁装置、特に放電灯用の安定器などに用いられる電磁装置は、安全性を確保するために電気用品取締法技術基準などにより、充電部と非充電金属部間の絶縁距離（以下、所定の絶縁距離と称す）が規定されている。本参考例でいえば、充電部は端子金具２に相当し、非充電金属部はＥ形積層鉄芯５に相当する。
【００２４】
本参考例では、Ｅ形積層鉄芯５の中足部５ａの突出寸法Ｈ３（図１０参照）を、上記所定の絶縁距離よりも大きな寸法に設定してあるので、端子金具２の鎖錠ばね片２ｃとＥ形積層鉄芯５の基部５ｂの外面との距離が中足部５ａの突出寸法Ｈ３よりも大きく確保され、端子金具２の鎖錠ばね片２ｃとＥ形積層鉄芯５の基部５ｂの外面との間の寸法が所定の絶縁距離よりも大きくなる。言い換えれば、Ｅ形積層鉄芯５の中足部５ａの突出寸法Ｈ３を、端子金具２の鎖錠ばね片２ｃと基部１１ａの外面との間の隙間が所定の絶縁距離よりも大きくなる寸法に設定してある。
【００２５】
しかして、本参考例では、充電部と非充電金属部との間の絶縁距離を所定の絶縁距離よりも大きくなるようにすることができる。
【００２６】
（実施形態）
本実施形態の基本構成は参考例と略同じであって、図１１および図１２に示すように、Ｔ形積層鉄芯６とボビン１とが一体成形されている点に特徴がある。なお、その他の構成要素は参考例と同じなので図示および説明を省略する。また、実施形態１と同様の構成要素には同一の符号を付して説明を省略する。
【００２７】
しかして、本実施形態では、Ｔ形積層鉄芯６の中足部６ａの外周面とボビン１の巻胴部１３の内周面との間のクリアランスを考慮する必要がなく、Ｅ形積層鉄芯５の中足部５ａの外周面とボビン１の巻胴部１３の内周面との間のクリアランスのみ取るようにすればよいから、ボビン１の巻胴部１３の小型化を図ることができる。また、Ｔ形積層鉄芯６の中足部６ａをボビン１の巻胴部１３に挿入する工程が不要になるので、組立工程数が削減される。
【００２８】
また、本実施形態では、Ｔ形積層鉄芯６の中足部６ａの長さが図１３ないし図１５に示した従来構成の電磁装置におけるＴ形積層鉄芯６’の中足部６ａ’の長さよりも短いので、Ｔ形積層鉄芯６が一体成形されたボビン１の巻胴部１３には凹所１３ｂが形成された形になっており、コイル３の巻線時（特に軸巻線時）に、軸決めをボビン１の巻胴部１３内の凹所１３ｂにて行うことができ、ボビン１の固定や軸設定のための治具の構成が簡単になる。
【００３１】
【発明の効果】
請求項１の発明は、両端に鍔部を有し両鍔部の間にコイルが巻装されたボビンと、Ｅ形であって中足部がボビンに納装され基部が一方の鍔部に当接するＥ形鉄芯と、Ｔ形であって中足部がボビンに納装され基部が他方の鍔部に当接する形でボビンに一体成形されたＴ形鉄芯と、Ｅ形鉄芯に近い側の鍔部から突設される端子金具であって前記コイルの巻軸方向においてＥ形鉄芯の基部に重なる一部を有する端子金具とを備え、Ｅ形鉄芯の中足部の長さはＴ形鉄芯の中足部の長さよりも短く、Ｅ形鉄芯における基部の外面と中足部の先端面との間の寸法が、上記端子金具が突設される側の鍔部とＥ形鉄芯との当接面から端子金具の上記一部との間の寸法よりも小さく設定されているので、Ｅ形鉄芯の中足部の先端面とＴ形鉄芯の中足部の先端面との間にギャップが形成されるから、従来のようにＣ形鉄芯とＴ形鉄芯とを用いている場合に比べて外部への漏れ磁束を少なくすることができ、また、上記両鉄芯のうち上記端子金具が突設される側の鍔部に当接するＥ形鉄芯が、中足部の長さが短い方の鉄芯であり、基部の外面と中足部の先端面との間の寸法が、上記端子金具が突設される側の鍔部とＥ形鉄芯との当接面から端子金具の上記一部との間の寸法よりも小さく設定されていることにより、積層された鉄芯をずらすことなしにＥ形鉄芯の中足部をボビンに納装することができるので、組立性が向上するという効果がある。また、積層された鉄芯をずらす必要がないから、積層された鉄芯を一体化することができ、作業性が向上するという効果がある。さらに、Ｔ形鉄芯の中足部をボビンに挿入する工程が不要になるので、組立工程数が削減されるという効果がある。また、コイルの巻線時には、Ｅ形鉄芯の中足部が挿入される凹所において軸決めを行うことができるから、Ｔ形鉄芯とＣ形鉄芯とを組合わせて用いる場合に比べてボビンの固定や軸設定のための治具の構成が簡単になるという効果がある。
【００３２】
請求項２の発明は、請求項１の発明において、Ｅ形鉄芯の中足の突出寸法は、端子金具の上記一部と上記基部の外面との間の隙間が所定の絶縁距離よりも大きくなる寸法に設定されているので、端子金具の上記一部と上記基部の外面との間の隙間を所定の絶縁距離よりも大きく確保することができるという効果がある。
【図面の簡単な説明】
【図１】  参考例を示す斜視図である。
【図２】  同上の正面図である。
【図３】  同上のボビンを示し、（ａ）は平面図、（ｂ）は正面図である。
【図４】  同上のコイルブロックの斜視図である。
【図５】  同上の端子金具の斜視図である。
【図６】  同上の端子金具の斜視図である。
【図７】  同上の端子金具へのリード線の接続状態の説明図である。
【図８】  同上のＥ形積層鉄芯の斜視図である。
【図９】  同上のＴ形積層鉄芯の斜視図である。
【図１０】  同上の鉄芯ブロックを示す平面図である。
【図１１】  実施形態を示すボビンの斜視図である。
【図１２】  同上を示し、（ａ）はボビンの平面図、（ｂ）はボビンの正面図である。
【図１３】  従来例を示す斜視図である。
【図１４】  同上の正面図である。
【図１５】  同上の分解斜視図である。
【図１６】  同上のボビンの斜視図である。
【図１７】  同上のボビンを示し、（ａ）は平面図、（ｂ）は正面図である。
【図１８】  同上の鉄芯ブロックを示し、（ａ）は平面図、（ｂ）は正面図である。
【符号の説明】
１  ボビン
２  端子金具
２ｃ  鎖錠ばね片
３  コイル
５  Ｅ形積層鉄芯
５ａ  中足部
５ｂ  基部
６  Ｔ形積層鉄芯
６ａ  中足部
６ｂ  基部
１１，１２  鍔部
１３  巻胴部
３０  コイルブロック
４０  鉄芯ブロック
【図１】
0003887116.tif 000002
【図２】
0003887116.tif 000003
【図３】
0003887116.tif 000004
【図４】
0003887116.tif 000005
【図５】
0003887116.tif 000006
【図６】
0003887116.tif 000007
【図７】
0003887116.tif 000008
【図８】
0003887116.tif 000009
【図９】
0003887116.tif 000010
【図１０】
0003887116.tif 000011
【図１１】
0003887116.tif 000012
【図１２】
0003887116.tif 000013
【図１３】
0003887116.tif 000014
【図１４】
0003887116.tif 000015
【図１５】
0003887116.tif 000016
【図１６】
0003887116.tif 000017
【図１７】
0003887116.tif 000018
【図１８】
0003887116.tif 000019